(57)【要約】【課題】撮像系回路にノイズ影響を伝達せず、小型化のための最適な電源系基板のレイアウトが可能な撮像装置を提供すること。【解決手段】導電性材料からなる前板（２４）と、前板（２４）を保持する本体筐体（２５）と、電源回路基板（３２）と、導電性材料からなる上面シールドケース（３０）と、導電性材料からなる下面シールドケース（３１）とからなる撮像装置において、前記電源回路基板（３２）、及び上面シールドケース（３０）、及び下面シールドケース（３１）は少なくとも一か所において、前記本体筐体（２５）と固定及び電気的に接続されていることを特徴とする。【選択図】図２（ａ）
2017199988.tif 000002
【特許請求の範囲】
【請求項１】
導電性材料からなる前板（２４）と、
前板（２４）を保持する本体筐体（２５）と、
電源回路基板（３２）と、導電性材料からなる上面シールドケース（３０）と、
導電性材料からなる下面シールドケース（３１）とからなる撮像装置において
前記電源回路基板（３２）、及び上面シールドケース（３０）、及び下面シールドケース（３１）は少なくとも一か所において、前記本体筐体（２５）と固定及び電気的に接続されていることを特徴とする撮像装置。
【請求項２】
前記上面シールドケース（３０）に第一の固定爪（３０ａ）を有し、
前記下面シールドケース（３１）に第二の固定爪（３０ｂ）を有し、
上面シールドケース（３０）、及び下面シールドケース（３１）は少なくとも一か所において、第一の固定爪（３０ａ）と第二の固定爪（３０ｂ）を引掛け、引き込みあうことで弾性的に固定されていることを特徴とする請求項１に記載の撮像装置。
【請求項３】
前記電源回路基板（３２）には上面シールドクリップ（３２ａ）及び下面シールドクリップ（３２ｂ）が実装されており、
前記上面シールドケース（３０）は、前記本体筐体（２５）との固定箇所と第一の固定爪（３０ａ）による固定箇所の間にて、前記上面シールドクリップ（３２ａ）によって保持及び電気接続されており、
前記下面シールドケース（３１）は、前記本体筐体（２５）との固定箇所と第二の固定爪（３０ｂ）による固定箇所の間にて、前記下面シールドクリップ（３２ｂ）によって保持及び電気接続されていることを特徴とする請求項１に記載の撮像装置。
【請求項４】
前記上面シールドケース（３０）に第一の補強形状（３０ｂ）を有し、
第一の補強形状（３０ｂ）は第一の固定爪（３０ａ）の近傍に配置されており、
前記下面シールドケース（３１）に第二の補強形状（３１ｂ）を有し、
第二の補強形状（３１ｂ）は第二の固定爪（３０ｂ）の近傍に配置されていることを特徴とする請求項１に記載の撮像装置。
【発明の詳細な説明】
【技術分野】
【０００１】
本発明は、シールドケースの固定方法に関し、特に撮像素子へのノイズ影響を低減しつつ、シールド特性の安定化および耐衝撃性に優れたシールドケース固定構造に関する。
【背景技術】
【０００２】
従来より、電源系回路基板から発生する電磁波ノイズや電流ノイズが撮像系回路に伝達されて撮影データにノイズ成分がのるという問題がある。
【０００３】
特許文献１に示す先行例には、電源系回路基板と撮像系回路基板の間に外部メモリ用基板を配置することで、外部メモリ用基板で電源系回路のノイズをシールドする基板配置構成が開示されている。また、特許文献２に示す先行例では、撮像素子に飛び込むノイズをシールドするために通常導電性材料で構成される撮像素子及び撮像系回路基板の支持筐体（以下、前板）に、撮像系回路基板のシールドケースを電気接続している。これにより、撮像系回路のＧＮＤ強化を行い、ノイズ対策を行っている例も開示されている。
【先行技術文献】
【特許文献】
【０００４】
【特許文献１】特開2009-175292号公報
【特許文献２】特開2005-65014号公報
【発明の概要】
【発明が解決しようとする課題】
【０００５】
しかしながら、特許文献１に示す技術では各基板の配置に制限が発生するため、仕様が異なる製品への対応時に外部メモリがユーザーの使いづらい場所に配置されてしまう。また、各基板の最適レイアウトに対して柔軟な対応ができず、余計な固定用の筐体やデッドスペースを生み、撮像装置が大型化してしまうという問題がある。
【０００６】
また一眼レフカメラにおいては、ユーザーがカメラを支持する部分（以下、グリップ）に電池を配置することが多いことから、電源系基板はその近傍（グリップ上部もしくは背面）に配置することが必須となってくる。従来のカメラサイズであれば、前板とはＧＮＤ接続を行わない本体筐体に対して電源基板を締結できていたため問題はなかった。
【０００７】
しかし、近年さらに要望が強くなっている「小型化」の影響を受け、電源系基板をカメラ中心部に寄せていく場合、前板に対して電源基板を固定せざるを得なくなってくる。そうなれば、特許文献2に示す技術を適用している場合、電源系回路から発生するノイズが前板に伝達されてしまい、前板とＧＮＤ接続を行っている撮像系回路にノイズ影響を強く与えてしまう問題が発生する。
【０００８】
本発明は、上記の事情に鑑みて成されたものであり、前板に電源系基板を固定した際にも撮像系回路にノイズ影響を伝達せず、小型化のための好適な電源系基板のレイアウトが可能な撮像装置を提供することを目的とする。
【課題を解決するための手段】
【０００９】
上記の目的を達成するために、本発明に係る撮像装置は、
導電性材料からなる前板と、前板を保持する本体筐体と、
電源回路基板と、導電性材料からなる上面シールドケースと、
導電性材料からなる下面シールドケースとからなる撮像装置において
前記電源回路基板、及び上面シールドケース、及び下面シールドケースは少なくとも一か所において、前記本体筐体と固定及び電気的に接続されていることを特徴とする。
【発明の効果】
【００１０】
本発明によれば、撮像系回路に電源系回路基板から発生するノイズ影響を伝達せず、小型化のための最適な電源系基板のレイアウトが可能な撮像装置を提供することができる。
【図面の簡単な説明】
【００１１】
【図１】（ａ）は本実施の形態に係る撮像装置の外観正面斜視図、（ｂ）は本実施の形態に係る撮像装置の外観背面斜視図
【図２（ａ）】本体筐体の構成を示す側面斜視図
【図２（ｂ）】撮像装置本体の内部構成の分解正面斜視図
【図２（ｃ）】撮像装置本体の内部構成の分解背面斜視図
【図３】本実施の形態に係る撮像装置の主要な電気的構成を示すブロック図
【図４】（ａ）は電源回路部の正面斜視図、（ｂ）電源回路部の分解正面斜視図、（ｃ）は電源回路部の分解底面斜視図、（ｄ）は図４（ａ）のＡ−Ａ断面矢視図
【発明を実施するための形態】
【００１２】
以下に、本発明の好ましい実施の形態を、添付の図面に基づいて詳細に説明する。なお、図中で共通する部分には同一の符号を付す。
【００１３】
まず、図１を参照して本実施の形態に係る撮像装置の本体構成について説明する。
【００１４】
図１（ａ）は撮像装置の外観正面斜視図、図１（ｂ）は撮像装置の外観背面斜視図を示す。
【００１５】
図１（ａ）において、１は撮像装置本体、２は撮影レンズ、２ａは撮影光軸、３はグリップ部、４は撮影動作を開始するための起点信号を出力するSWであるレリーズ釦を示す。図１（ｂ）において５はカメラを起動させるメインＳＷ、６は表示部を示す。グリップ部３はユーザーが撮影時に撮像装置本体１を保持する部分であり、ユーザーが握りやすいように凸形状となっている。それぞれの詳細に関しては、後に撮像装置の主要な電気的構成を示すブロック図（図３）とともに説明する。
【００１６】
次に図２を参照して本実施の形態に係る撮像装置本体の内部構成について説明する。
【００１７】
図２（ａ）は本体筐体の構成を示す側面斜視図、図２（ｂ）は撮像装置本体の内部構成の分解正面斜視図、図２（ｃ）は撮像装置本体の内部構成の分解背面斜視図を示す。
【００１８】
図２（ａ）において、２４は前板、２５は本体筐体を示す。図２（ｂ）、図２（ｃ）において、２１は撮像部、２１ａ、２１ｂ、２１ｃは撮像部２１を前板２４に締結するためのビス、２２は電源回路部、２２ａ、２２ｂは電源回路部を締結するためのビス、２３は電池を示す。前板２４は導電性材料で形成されており、撮像部２１および撮影レンズ２を保持する。本体筐体２５は撮像装置本体１の全体を保持する筐体であり、ビス（不図示）にて前板２４を締結し、保持している。撮像部２１はビス（２１ａ、２１ｂ、２１ｃ）で前板２４に締結される。
【００１９】
この際に撮像部２１のアース（以下、ＧＮＤ）と前板２４のＧＮＤは電気的に接続される構成となる。前板２４のＧＮＤは撮像装置本体１のベースとなるＧＮＤとは接続されておらず、撮像部２１と前板２４でのみ完結されている。電源回路部２２はビス２２ａによって前板２４に締結され、２２ｂによって本体筐体２５に締結される。電池２３は充電式リチウムイオン電池であり、前記グリップ部３内部の電池収納部に挿入され、電源回路部２２に電源供給を行うべく電気接続される。本実施の形態において、電池２３は充電式リチウムイオン電池を用いているが、これに限定する物ではない。それぞれの詳細に関しては、後に撮像装置の主要な電気的構成を示すブロック図（図３）とともに説明する。
【００２０】
次に図３を参照して、撮像装置の主要な電気的構成について説明する。
【００２１】
図３は本実施の形態に係る撮像装置の主要な電気的構成を示すブロック図である。図３において、２０は制御部、２１は撮像部、２６はマウント接点部を示す。
【００２２】
撮像装置本体１に内蔵されたマイクロコンピュータからなる制御部２０は、撮像装置の動作制御および記憶を司るものであり、各要素からの情報の処理や各要素に対する指示および各情報の記憶を行う。制御部２０は内蔵電池を保有しており、メインＳＷがＯＦＦ状態でも常に起動し、スタンバイ状態となっている。また、制御部２０には、レリーズ釦４、メインＳＷ５、表示部６、撮像部２１、電源回路部２２、電池２３、マウント接点２６が電気的に接続されている。制御部２０はメインＳＷ５のＯＮ信号により、電池２３から電源回路部２２への電源供給を行い、電源回路部は各要素に対して制御部２０の制御により電源供給を行う。
【００２３】
制御部２０と撮影レンズ２はマウント接点部２６を介して通信を行う。撮影レンズ２の制御により、撮像部２１に撮影光軸２ａの焦点を合わせるように撮影レンズ２を調整する。撮像部２１は、被写体像を光電変換する撮像素子を有する。本実施の形態では撮像部２１にＣＭＯＳセンサが用いられるが、その他にもＣＣＤ型、ＣＩＤ型等様々な形態があり、いずれの形態の撮整像デバイスを採用してもよい。制御部２０はレリーズ釦４のＯＮ信号を検出すると、撮像部２１に被写体情報の撮像を行わせ、撮像部２１からの被写体情報は制御部２０を介して、画像データとして表示部６に表示される。
【００２４】
次に図４を参照して、前記電源回路部２２の詳細構成について説明する。
【００２５】
図４（ａ）は電源回路部の正面斜視図、図４（ｂ）は電源回路部の分解正面斜視図、図４（ｃ）は電源回路部の分解底面斜視図、図４（ｄ）は図４（ａ）におけるＡ−Ａ断面の矢視図である。
【００２６】
図４において、３０は上面シールドケース、３０ａは第一の固定爪、３０ｂは第一の補強形状、３１は下面シールドケース、３１ａは第二の固定爪、３１ｂは第二の補強形状、３２は電源回路基板、３２ａは上面シールドクリップ、３２ｂは下面シールドクリップ、３２ｃはビス２２ｂによる電源回路基板３２の締結部を示す。
【００２７】
上面シールドケース３０および下面シールドケース３１は導電性材料であり、本実施の形態においてはバネ性を有する金属からなる。上面シールドケース３０および下面シールドケース３１は、それぞれ電源回路基板３２上の上面と下面に実装された部品を覆うように配置される。上面シールドケース３０および下面シールドケース３１は、撮像装置本体１のＧＮＤに電気的に接続されており、電源回路基板上の実装部品から発生する電磁界ノイズが上面シールドケース３０および下面シールドケース３１の外側の空間に放出されるのを遮断する機能を有する。
【００２８】
電源回路基板３２は電源回路が配線されたプリント配線板であり、表裏に実装部品（不図示）が実装されている。電源回路基板３２には回路基板内にてＧＮＤに電気的に接続された上面シールドクリップ３２ａおよび下面シールドクリップ３２ｂが実装されており、上面シールドクリップ３２ａおよび下面シールドクリップ３２ｂはそれぞれ上面シールドケース３０および下面シールドケース３１を保持するとともに、電気的にＧＮＤに接続する。
【００２９】
電源回路基板３２は表面を非導電材質からなる薄膜で覆われているが、ビス２２ｂによる締結部３２ｃにおいては基板内のＧＮＤ配線が銅箔露出しており、ビス２２ｂで上面シールドケース３０および電源回路基板３２および下面シールドケース３１を本体筐体２５共締めすることで本体筐体２５のＧＮＤに電気的に接続されている。ビス２２ａによる締結部においては電源回路部２２を前板２４に固定しているが、電源回路基板３２の表面は銅箔露出されておらず、また上面シールドケース３０および下面シールドケース３１も共締めしていないため電源回路基板３２および上面シールドケース３０および下面シールドケース３１は前板２４と電気的にＧＮＤの接続はされていない。
【００３０】
これにより電源回路部２２で電源駆動するときに発生するＧＮＤの揺らぎが前板２４を経由して撮像部２１にノイズとして伝達されてしまうことを防ぐことができるため、撮影した画像にノイズ起因の画像異常が発生することを抑制できる。
【００３１】
上面シールドケース３０には第一の固定爪３０ａが、下面シールドケース３１には第二の固定爪３１ａがそれぞれ二か所に形成されており、第一の固定爪３０ａおよび第二の固定爪３１ａが互いにかみ合うように引っかかることで、上面シールドケース３０および下面シールドケース３１を互いに引き込みながら弾性的に保持する構成となっている。これにより、ビス２２ａにて締結せずとも、振動や衝撃が加わった際に上面シールドケース３０および下面シールドケース３１が上面シールドクリップ３２ａおよび下面シールドクリップ３２ｂから外れや脱落することを抑制することができる。
【００３２】
また、上面シールドケース３０および下面シールドケース３１にはそれぞれ第一の補強形状３０ｂおよび第二の補強形状３１ｂが形成されており、第一の補強形状３０ｂは第一の固定爪３０ａの近傍かつ第一の固定爪３０ａを互いにつなぐように形成され、第二の補強形状３１ｂは第二の固定爪３１ａの近傍かつ第二の固定爪３１ａを互いにつなぐように形成されている。これにより振動や衝撃により上面シールドケース３０および下面シールドケース３１が変形し、第一の固定爪３０ａおよび第二の固定爪３１ａが外れや脱落することをより抑制することができる。
【００３３】
また上面シールドクリップ３２ａは、ビス２２ｂによる締結部と第一の固定爪３０ａの間に配置されており、同様に下面シールドクリップ３２ｂは、ビス２２ｂによる締結部と第二の固定爪３１ａの間に配置されている。これにより振動や衝撃が加わった際に上面シールドケース３０および下面シールドケース３１が、それぞれ上面シールドクリップ３２ａおよび下面シールドクリップ３２ｂから外れや脱落することを抑制することができる。上記一連の構成をとることで、上面シールドケース３０および下面シールドケース３１をビスによって前板２４に締結しなくても、振動や衝撃が加わった際に外れ・脱落することを防ぐことができる。
【００３４】
なお、固定爪形状、補強形状、およびそれぞれのレイアウトに関しては、実施形態の一例であり、同様の効果を有する形状及びレイアウトであればこれに限ったものではない。
【００３５】
上記一連の本体構成をとることで、電源系回路基板から発生するノイズを撮像系回路に伝達せず、小型化のための最適な電源系基板のレイアウトが可能な撮像装置を提供することができる。
【符号の説明】
【００３６】
１  撮像装置本体、２  撮影レンズ、２ａ  撮影光軸、３  グリップ部 、
４  レリーズ釦、５  メインＳＷ、６  表示部、２０  制御部、２１  撮像部、
２１ａ，２１ｂ，２１ｃ  ビス、２２  電源回路部、２２ａ，２２ｂ  ビス、
２３  電池、２４  前板、２５  本体筐体、２６  マウント接点部、
３０  上面シールドケース、３０ａ  第一の固定爪、３０ｂ  第一の補強形状、
３１  下面シールドケース、３１ａ  第二の固定爪、３１ｂ    第二の補強形状、
３２  電源回路基板、３２ａ  上面シールドクリップ、
３２ｂ  下面シールドクリップ、３２ｃ  固定部
【図１】
2017199988.tif 000003
【図２（ａ）】
2017199988.tif 000004
【図２（ｂ）】
2017199988.tif 000005
【図２（ｃ）】
2017199988.tif 000006
【図３】
2017199988.tif 000007
【図４】
2017199988.tif 000008